(57)【特許請求の範囲】
【請求項１】
画像を表示する表示装置であって、
使用者に情報を提示する情報画像を表示する表示部と、
前記表示部が表示する情報画像の色調の調整を行うために用いる調整用画像を表示する調整用画像表示部と、
前記調整用画像表示部が表示する前記調整用画像を受光する受光部と、
色調の調整処理を行う場合に、色調分析を行うために前記受光部に受光させる画像を前記調整用画像表示部に表示させる前記調整用画像として設定し、色調の調整処理を行わない場合に、前記表示部が表示する前記情報画像の画像データに基づいて前記調整用画像表示部に表示させる前記調整用画像を設定して前記表示部の経年変化に応じて前記調整用画像表示部を経年変化させる調整用画像設定部と
を備えることを特徴とする表示装置。
【請求項２】
前記調整用画像を、前記使用者に対して隠蔽する調整用画像隠蔽部を更に備えることを特徴とする請求項１記載の表示装置。
【請求項３】
前記受光部は、前記調整用画像隠蔽部の前記調整用画像表示部側に設けられることを特徴とする請求項２記載の表示装置。
【請求項４】
前記調整用画像隠蔽部は、前記表示部における画像を表示する部分の縁部を覆う表示部カバーの少なくとも一部であることを特徴とする請求項２記載の表示装置。
【請求項５】
前記受光部による前記調整用画像の受光結果に基づき、前記表示部が表示する前記情報画像の色調を調整する調整部を更に備えることを特徴とする請求項１記載の表示装置。
【請求項６】
前記表示部が表示する前記情報画像の色調を調整する基準となる外光を受光させるべく、前記受光部を、前記表示装置の外部に対して露出可能に保持する保持部を更に備えることを特徴とする請求項１記載の表示装置。
【請求項７】
前記保持部は、前記表示部に対する前記受光部の向きを変えることにより、前記受光部を前記表示装置の外部に対して露出可能に保持することを特徴とする請求項６記載の表示装置。
【請求項８】
前記保持部は、前記表示部に対して前記受光部をスライドさせることにより、前記受光部を前記表示装置の外部に対して露出可能に保持することを特徴とする請求項６記載の表示装置。
【請求項９】
前記保持部は、
前記受光部を前記表示部に対して回転移動可能に保持する保持軸を有し、
前記受光部を前記表示部に対して回転移動させることにより、前記受光部を前記表示装置の外部に対して露出可能に保持する
ことを特徴とする請求項７記載の表示装置。
【請求項１０】
前記調整用画像設定部は、色調の調整処理を行わない場合に、前記表示部が表示する前記情報画像の各画素に設定される色調のデータ値を平均し、前記調整用画像を設定することを特徴とする請求項１記載の表示装置。
【請求項１１】
前記調整用画像設定部は、色調の調整処理を行わない場合に、前記表示部の予め定められた表示領域の各画素に設定される色調のデータ値を前記調整用画像に設定する請求項１記載の表示装置。
【請求項１２】
前記表示部と前記調整用画像表示部は、同一の表示パネル上の互いに異なる表示領域にそれぞれ画像を表示することを特徴とする請求項１記載の表示装置。
【請求項１３】
前記調整用画像表示部は、前記表示パネルが画像を表示する表示領域の縁部の少なくとも一部を含む表示領域に画像を表示することを特徴とする請求項１２記載の表示装置。
【請求項１４】
画像を表示する表示装置の色調を調整する調整方法であって、
前記表示装置は、
使用者に情報を提示する情報画像を表示する表示部と、
前記表示部が表示する情報画像の色調の調整を行うために用いる調整用画像を表示する調整用画像表示部と
を備え、
色調の調整処理を行う場合に、色調分析を行うために前記受光部に受光させる画像を前記調整用画像表示部に表示させる前記調整用画像として設定し、色調の調整処理を行わない場合に、前記表示部が表示する前記情報画像の画像データに基づいて前記調整用画像表示部に表示させる前記調整用画像を設定して前記表示部の経年変化に応じて前記調整用画像表示部を経年変化させる調整用画像設定段階と、
前記調整用画像表示部が表示する前記調整用画像を受光する段階と、
前記調整用画像の受光結果に基づき、前記表示部が表示する前記情報画像の色調を調整する段階と
を備えることを特徴とする調整方法。
【請求項１５】
前記調整用画像設定段階は、色調の調整処理を行わない場合に、前記表示部が表示する前記情報画像の各画素に設定される色調のデータ値を平均し、前記調整用画像を設定することを特徴とする請求項１４記載の調整方法。
【請求項１６】
前記調整用画像設定段階は、色調の調整処理を行わない場合に、前記表示部の予め定められた表示領域の各画素に設定される色調のデータ値を前記調整用画像に設定する請求項１４記載の調整方法。
【発明の詳細な説明】
【０００１】
【発明の属する技術分野】
本発明は、表示装置及び表示装置の調整方法に関する。特に本発明は、表示装置の個体差や経年変化等によって変化する画像の色調を調整する表示装置及び表示装置の調整方法に関する。
【０００２】
【従来の技術】
画像の入出力機器は、入出力機器の仕様や個体差等によって、入力又は出力する画像の色調が異なる。従来、複数の入出力機器間で画像の色調を一致させる技術として、ＣＭＳ（Ｃｏｌｏｒ  Ｍａｎａｇｅｍｅｔ  Ｓｙｓｔｅｍ）が用いられている。
ＣＭＳを用いる場合、入出力機器の使用者は、入出力機器の製造元が提供する色調のプロファイル等の情報を取得することにより入出力機器の画像の色調を調整することができる。例えば、特開２０００−９９３０５は、表示する画像に基づき電力制御を行う表示装置において、基準色と測定色とを同時に表示装置に表示して表示された色調を測定し、表示装置のプロファイルを作成する情報処理装置等を開示する。
【０００３】
【発明が解決しようとする課題】
表示装置の画像の色調は、入出力機器の個体差や経年変化等によって変化する。経年変化に対応して画像の色調を調整する方法としては、表示装置に、出荷後においても色調を調整できる機能を備える方法が有力である。この場合、表示装置に色調を調整する機能の追加コストを抑え、かつ使用者が簡単に色調の調整を行うことができる表示装置を実現することが望ましい。
【０００４】
そこで本発明は、上記の課題を解決することのできる表示装置及び表示装置の調整方法を提供することを目的とする。この目的は特許請求の範囲における独立項に記載の特徴の組み合わせにより達成される。また従属項は本発明の更なる有利な具体例を規定する。
【０００５】
【課題を解決するための手段】
即ち、本発明の第１の形態によると、画像を表示する表示装置であって、使用者に情報を提示する情報画像を表示する表示部と、前記表示部が表示する情報画像の色調の調整を行うために用いる調整用画像を表示する調整用画像表示部と、前記調整用画像表示部が表示する前記調整用画像を受光する受光部と、色調の調整処理を行う場合に、色調分析を行うために前記受光部に受光させる画像を前記調整用画像表示部に表示させる前記調整用画像として設定し、色調の調整処理を行わない場合に、前記表示部が表示する前記情報画像の画像データに基づいて前記調整用画像表示部に表示させる前記調整用画像を設定して前記表示部の経年変化に応じて前記調整用画像表示部を経年変化させる調整用画像設定部とを備えることを特徴とする表示装置を提供する。
【０００６】
前記調整用画像設定部は、色調の調整処理を行わない場合に、前記表示部が表示する前記情報画像の各画素に設定される色調のデータ値を平均し、前記調整用画像を設定してもよい。また、前記調整用画像設定部は、色調の調整処理を行わない場合に、前記表示部の予め定められた表示領域の各画素に設定される色調のデータ値を前記調整用画像に設定してもよい。
【０００７】
また、本発明の第２の形態によると、画像を表示する表示装置の色調を調整する調整方法であって、前記表示装置は、使用者に情報を提示する情報画像を表示する表示部と、前記表示部が表示する情報画像の色調の調整を行うために用いる調整用画像を表示する調整用画像表示部とを備え、色調の調整処理を行う場合に、色調分析を行うために前記受光部に受光させる画像を前記調整用画像表示部に表示させる前記調整用画像として設定し、色調の調整処理を行わない場合に、前記表示部が表示する前記情報画像の画像データに基づいて前記調整用画像表示部に表示させる前記調整用画像を設定して前記表示部の経年変化に応じて前記調整用画像表示部を経年変化させる調整用画像設定段階と、前記調整用画像表示部が表示する前記調整用画像を受光する段階と、前記調整用画像の受光結果に基づき、前記表示部が表示する前記情報画像の色調を調整する段階とを備えることを特徴とする調整方法を提供する。
【０００８】
前記調整用画像設定段階は、色調の調整処理を行わない場合に、前記表示部が表示する前記情報画像の各画素に設定される色調のデータ値を平均し、前記調整用画像を設定してもよい。また、前記調整用画像設定段階は、色調の調整処理を行わない場合に、前記表示部の予め定められた表示領域の各画素に設定される色調のデータ値を前記調整用画像に設定してもよい。
【０００９】
なお上記の発明の概要は、本発明の必要な特徴の全てを列挙したものではなく、これらの特徴群のサブコンビネーションも又発明となりうる。
【００１０】
【発明の実施の形態】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
【００１１】
図１は、本発明の実施形態に係る情報処理装置１００の外観を示す。情報処理装置１００は、本発明に係る表示装置の一例である。本実施形態に係る情報処理装置１００は、情報処理ユニット１１０と、表示ユニット１２０とを備える。
情報処理ユニット１１０は、使用者の指示に従いプログラムを実行し、情報処理を行う。表示ユニット１２０は、情報処理ユニット１１０上で実行されるプログラム等が生成する画像を表示する。表示ユニット１２０は、表示部１３０を有する。表示部１３０は、プログラムにより生成された情報を使用者に提示する情報画像を表示する表示領域である。
本実施形態に係る表示部１３０は、個体差や経年変化等によって表示する画像の色調が変化する。このため、表示ユニット１２０は、出荷前に製造者等による指示を受けた場合若しくは出荷後最初に使用される場合、使用者や情報処理ユニット１１０の指示を受けた場合、及び／又は定期的に、表示部１３０が表示する画像の色調を調整する色調調整処理を行う。これにより、表示ユニット１２０は、個体差や経年変化等による色調の相違や劣化に対応して、色調の調整を行うことができる。
【００１２】
図２及び図３は、本発明の実施形態に係る表示ユニット１２０をそれぞれ正面及び断面から見た構造を示す。本実施形態に係る表示ユニット１２０は、表示パネル１２５と、表示部カバー１２７と、受光部１５０と、保持部１７０とを有する。
表示パネル１２５は、例えば、液晶ディスプレイ、プラズマディスプレイ、又はＥＬディスプレイ等に用いられる、複数の画素がマトリクス状に配列されたパネルである。表示パネル１２５上の各画素には、画像データに含まれる当該画素の画素データが設定される。そして、表示パネル１２５上の各画素は、画素データに対応して色調（明るさ及び色合い）を変化させる。これにより、表示パネル１２５は、複数画素のそれぞれに対応する色調が設定され、画像を表示する。表示パネル１２５は、表示部１３０と、調整用画像表示部１４０とを含む。表示部１３０は、使用者に情報を提示する情報画像を表示するための表示領域である。調整用画像表示部１４０は、表示部１３０が表示する情報画像の色調の調整を行うために用いる調整用画像を表示する。表示部１３０と調整用画像表示部１４０は、同一の表示パネル１２５上の互いに異なる表示領域にそれぞれ情報画像及び調整用画像を表示する。本実施形態に係る調整用画像表示部１４０は、表示パネル１２５が画像を表示する表示領域の縁部、例えば表示パネル１２５が長方形の表示領域を備える場合、表示領域の辺に位置する部分の少なくとも一部を含む表示領域に、調整用画像を表示する。ここで、調整用画像表示部１４０が調整用画像を表示する表示パネル１２５の表示領域は、表示パネル１２５の表示領域における上下左右のいずれの縁部を含むものであってもよい。
【００１３】
表示部カバー１２７は、表示部１３０における画像を表示する部分の縁部を覆う。すなわち、表示部カバー１２７は、表示パネル１２５の縁部の画像を表示しない部分、及び調整用画像表示部１４０を覆い、表示パネル１２５をカバーする。表示部カバー１２７は、調整用画像隠蔽部１６０を含む。調整用画像隠蔽部１６０は、調整用画像表示部１４０が表示する調整用画像を、使用者に対して隠蔽する。本実施形態に係る調整用画像隠蔽部１６０は、表示部１３０における画像を表示する部分の縁部を覆う表示部カバー１２７の一部として設けられる。
【００１４】
受光部１５０は、情報処理装置１００が色調調整処理を行う場合に、調整用画像表示部１４０が表示する調整用画像を受光する。本実施形態に係る受光部１５０は、調整用画像隠蔽部１６０に対して調整用画像表示部１４０側に設けられる。これにより、受光部１５０は、調整用画像隠蔽部１６０によって使用者に対して隠蔽される調整用画像を受光可能である。
【００１５】
保持部１７０は、受光部１５０を表示ユニット１２０の外部に対して露出可能に保持する。情報処理装置１００の使用者は、保持部１７０を回転させて受光部１５０を表示ユニット１２０の外部に露出させ、表示部１３０が表示する情報画像の色調を調整する基準となる外光である標準光源を保持部１７０に受光させる。保持部１７０は、保持軸１７５を例えば端部に有する。保持部１７０は、保持軸１７５を中心として表示ユニット１２０に対して回転移動することにより、受光部１５０を表示ユニット１２０の外部に対して露出させることができる。ここで、保持部１７０は、表示部カバー１２７の一部である調整用画像隠蔽部１６０に略面一な状態で嵌まり、略一体となった形態で通常使用される。色調調整処理において、表示ユニット１２０は、受光部１５０を露出させて標準光源を受光させた結果の色調データと、調整用画像の光量とに基づいて、表示部１３０が表示する画像の色調を調整する。
【００１６】
図４は、本発明の実施形態に係る受光部１５０に外光を受光させる方法を示す。保持部１７０は、受光部１５０に調整用画像を受光させる場合、受光部１５０を表示パネル１２５に向ける状態で保持する（図３）。一方、保持部１７０は、受光部１５０に外光を受光させる場合、受光部１５０を表示パネル１２５の反対方向に向ける状態で保持する（図４）。この様に、保持部１７０は、表示部１３０及び調整用画像表示部１４０を含む表示パネル１２５に対する受光部１５０の向きを変えることができる形態で保持する。これにより、保持部１７０は、受光部１５０を情報処理装置１００の外部に対して露出させることができる。
【００１７】
以上に代えて、保持部１７０は、表示ユニット１２０に対して着脱可能であってもよい。この場合、情報処理装置１００の使用者は、表示ユニット１２０から保持部１７０を取外すことにより表示パネル１２５に対する受光部１５０の向きを変え、受光部１５０を情報処理装置１００の外部に対して露出させることができる。この場合、表示ユニット１２０内の色調分析部３６０（図５）と受光部１５０との間の配線は、外部に露出する可能性があるため、保護されていることが望ましい。
【００１８】
図５は、本発明の実施形態に係る情報処理装置１００の構成を示す。
情報処理ユニット１１０は、ＣＰＵ３００、メモリ３０５、入力装置３１０、表示インターフェイス３１５、ハードディスクドライブ３２０、フロッピーディスクドライブ３２５、ＣＤ−ＲＯＭドライブ３３０、及びメモリ制御部３３５を有する。
ＣＰＵ３００は、メモリ３０５に格納されたプログラムに基づいて動作し、情報処理を行う。メモリ３０５は、ＣＰＵ３００が実行するプログラム及びＣＰＵ３００が使用するデータ等を格納する。入力装置３１０は、使用者の操作や指示等を入力する。表示インターフェイス３１５は、情報処理ユニット１１０上で実行されるプログラムが表示ユニット１２０に表示する情報画像の画像データを格納し、表示ユニット１２０に対して画像データを送信する。ハードディスクドライブ３２０は、情報処理装置１００が使用するプログラム及びデータを格納し、情報処理装置１００の使用者の指示に基づきプログラム及びデータをメモリ３０５に提供する。通信インターフェイス３２２は、ネットワークを介して他の装置と通信する。フロッピーディスクドライブ３２５は、フロッピーディスクドライブ３９０からプログラム又はデータを読み取りメモリ３０５等に提供する。ＣＤ−ＲＯＭドライブ３３０は、ＣＤ−ＲＯＭドライブ３９５からプログラム又はデータを読み取りメモリ３０５等に提供する。メモリ制御部３３５は、ＣＰＵ３００、メモリ３０５、入力装置３１０、表示インターフェイス３１５、ハードディスクドライブ３２０、通信インターフェイス３２２、フロッピーディスクドライブ３２５及びＣＤ−ＲＯＭドライブ３３０を相互に接続する。
【００１９】
表示ユニット１２０は、表示パネル１２５、受光部１５０、調整部３４０、調整用画像設定部３５０、色調分析部３６０、及び補正値算出部３８０を有する。
調整部３４０は、情報画像の画像データを表示インターフェイス３１５から受信する。次に、調整部３４０は、表示部１３０に表示する画像の色調を調整するためのデータであるプロファイル３４２を用いて、表示インターフェイス３１５から受信した情報画像の色調を調整する。そして、調整部３４０は、調整済みの情報画像を表示部１３０に表示させると共に、調整用画像設定部３５０に送信する。
【００２０】
調整用画像設定部３５０は、調整部３４０から受信した調整済みの情報画像の画像データに基づき、調整用画像を設定する。そして、調整用画像設定部３５０は、設定した調整用画像を調整用画像表示部１４０に表示させる。ここで、調整用画像設定部３５０は、色調調整処理を行わない場合（通常使用時）と、色調調整処理を行う場合において、それぞれ次に示す処理により調整用画像を設定する。
色調調整処理を行わない場合、調整用画像設定部３５０は、表示部１３０が表示する情報画像の各画素に設定される色調のデータ値を平均し、調整用画像を設定する。そして、調整用画像表示部１４０は、表示部１３０が表示する情報画像の色調を平均した調整用画像を、調整用画像表示部１４０に表示させる。この結果、調整用画像表示部１４０の各画素には、表示部１３０の各画素に印加された電圧又は電流を平均した電圧又は電流が印加される。従って、印加された電圧又は電流に応じて各画素が経年変化する度合いが異なる場合において、調整用画像設定部３５０は、表示部１３０に近い度合いで調整用画像表示部１４０を経年変化させることができる。
一方、色調調整処理を行う場合、調整用画像設定部３５０は、調整用画像表示部１４０の色調分析を行うために受光部１５０に受光させる画像を調整用画像に設定する。ここで、受光部１５０に受光させる調整用画像は、例えばＲＧＢの各３原色のいずれかについて、特定の階調を表示させる画像である。
【００２１】
色調分析部３６０は、色調を調整する基準となる基準色調データ３７０の取得、及び色調調整処理における色調の分析を行う。
基準色調データ３７０の取得は、以下の手順で実行される。まず、情報処理装置１００の使用者は、受光部１５０を表示ユニット１２０の外部に露出させ、色調を調整する基準となる標準光源を受光部１５０に受光させる。次に、情報処理装置１００の使用者は、基準色調データ３７０の取得を表示ユニット１２０に指示する。色調分析部３６０は、基準色調データ３７０の取得の指示を受けて、受光部１５０の受光結果を受信し、基準色調データ３７０に格納する。以上の処理において、色調分析部３６０は、情報処理装置１００の使用者の指示を、入力装置３１０から調整部３４０及び調整用画像設定部３５０経由で受信してもよく、また、表示ユニット１２０に設けたボタン等から直接受信してもよい。
【００２２】
色調の分析は、以下の手順で実行される。色調調整処理が開始されると、調整用画像設定部３５０は、色調分析を行うために受光部１５０に受光させる画像を調整用画像に設定する。次に、色調分析部３６０は、調整用画像の画素データを、調整用画像設定部３５０から受信する。次に、色調分析部３６０は、受光した調整用画像の色調を受光部１５０から受信する。そして、色調分析部３６０は、調整用画像の画素データ、調整用画像の色調、及び基準色調データ３７０に基づき、表示パネル１２５の色調を分析する。
色調分析部３６０は、次に示す方法で色調の分析を行う。まず、色調分析部３６０は、調整用画像の画素データ値に対応する、基準となる色調を基準色調データ３７０から取得する。次に、色調分析部３６０は、受光部１５０が受光した調整用画像の色調と、基準色調データ３７０から取得した色調とを比較する。そして、色調分析部３６０は、色調の比較結果を補正値算出部３８０に送信する。
【００２３】
補正値算出部３８０は、色調分析部３６０から受信した色調の比較結果に基づき、表示パネル１２５の色調の補正値を生成する。そして、補正値算出部３８０は、生成した補正値を、調整部３４０内のプロファイル３４２に格納する。この結果、調整部３４０は、受光部１５０による調整用画像の受光結果に基づき、表示部１３０が表示する情報画像の色調を調整することができる。
表示パネル１２５が液晶表示パネルである場合において、補正値算出部３８０は、表示パネル１２５の色調の補正値として液晶表示に用いるバックライトの明るさの補正値を生成し、プロファイル３４２に格納してもよい。この場合、調整部３４０は、プロファイル３４２に格納されたバックライトの明るさの補正値に基づき、バックライトの明るさを調整する。これにより、情報処理装置１００は、経年変化等によるバックライトの色調の劣化に対応して、バックライトの明るさを調整することができる。
【００２４】
本実施形態に代えて、調整部３４０、調整用画像設定部３５０、色調分析部３６０、及び補正値算出部３８０は、情報処理ユニット１１０上で動作する色調調整プログラムによって実現されてもよい。この場合、ＣＰＵ３００上で動作させるプログラムである色調調整プログラムは、例えばハードディスクドライブ３２０に格納される。色調調整プログラムは、使用者又は情報処理ユニット１１０上で動作するオペレーティングシステムによって起動され、表示ユニット１２０に表示する情報画像及び調整用画像の色調を調整する。色調調整プログラムは、調整モジュールと、調整用画像設定モジュールと、色調分析モジュールと、補正値算出モジュールとを含む。これらのモジュールは、情報処理ユニット１１０を、調整部３４０、調整用画像設定部３５０、色調分析部３６０及び補正値算出部３８０として動作させるプログラムである。
【００２５】
色調調整プログラムは、フロッピーディスクドライブ３９０又はＣＤ−ＲＯＭドライブ３９５等の記録媒体に格納されて利用者によって提供される。色調調整プログラムは、記録媒体から読み出され、フロッピーディスクドライブ３９０又はＣＤ−ＲＯＭドライブ３９５を介して情報処理装置１００にインストールされ、情報処理装置１００において実行される。また、ハードディスクドライブ３２０は、プロファイル３４２及び基準色調データ３７０を更に格納してもよい。
【００２６】
以上に示したプログラム又はモジュールは、外部の記憶媒体に格納されてもよい。記憶媒体としては、フロッピーディスクドライブ３９０、ＣＤ−ＲＯＭドライブ３９５の他に、ＤＶＤやＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスク又はＲＡＭ等の記憶装置を記録媒体として使用し、ネットワークを介してプログラムを情報処理装置１００に提供してもよい。
【００２７】
図６は、本発明の実施形態に係る表示部１３０の色調調整処理フローを示す。まず、情報処理装置１００の使用者は、標準光源を受光部１５０に受光させる。色調分析部３６０は、標準光源の受光結果を受光部１５０から取得し、基準色調データ３７０に格納する（Ｓ４００）。ここで、Ｓ４００の処理は、Ｓ４１０以降の処理とは独立に行ってよい。
次に、調整用画像設定部３５０は、色調分析を行うために受光部１５０に受光させる調整用画像を設定し（Ｓ４１０）、調整用画像表示部１４０に表示させる（Ｓ４２０）。次に、受光部１５０は、調整用画像表示部１４０が表示する調整用画像を受光する（Ｓ４３０）。次に、色調分析部３６０は、調整用画像設定部３５０から調整用画像の画素データを受信すると共に、受光部１５０から調整用画像の色調の受光結果を受信する。調整用画像設定部３５０、調整用画像表示部１４０、受光部１５０、及び色調分析部３６０は、Ｓ４１０乃至Ｓ４３０の処理を、色調分析に必要となる全てのカラーパターンを取得し終えるまで繰り返す（Ｓ４４０）。
【００２８】
次に、色調分析部３６０は、調整用画像設定部３５０から受信した調整用画像の画素データ、受光部１５０から受信した調整用画像の色調の受光結果、及び基準色調データ３７０の組合せに基づき、表示パネル１２５の色調を分析する（Ｓ４５０）。次に、補正値算出部３８０は、色調分析部３６０による色調を分析した結果に基づき、表示パネル１２５の色調の補正値を算出する（Ｓ４６０）。そして、補正値算出部３８０は、算出した色調の補正値をプロファイル３４２に設定する（Ｓ４７０）。
【００２９】
以上に示した通り、本実施形態に係る情報処理装置１００は、情報画像を表示する表示部１３０と、色調の調整に用いる調整用画像表示部１４０とを有する。これにより、情報処理装置１００は、使用者が表示部１３０に情報画像を表示している間においても、色調調整処理を行うことができる。また、使用者に対して情報画像を表示する場合、及び表示ユニット１２０の色調を調整する場合の両方において、受光部１５０は表示部カバー１２７の同じ位置に取り付けられる。このため、情報処理装置１００の使用者は、受光用の治具を取り付けたり、受光部１５０を移動させたりすることなく、色調調整処理を行うことができる。
また、本実施形態に係る調整用画像表示部１４０は、調整用画像隠蔽部１６０によって使用者に対して隠蔽されている。これにより、使用者が表示部１３０に表示された画像を見る際に、不快感を与えることなく色調調整処理を行える情報処理装置１００を提供することができる。
【００３０】
また、本実施形態に係る受光部１５０は、保持部１７０によって表示ユニット１２０の外部に対して露出可能に保持される。このため、本実施形態に係る情報処理装置１００は、標準光源を受光部１５０に受光させることができ、受光部１５０の経年変化に伴って基準色調データ３７０を更新することができる。
【００３１】
図７及び図８は、本発明の実施形態の第１の変形例に係る、表示ユニット１２０の構造及び受光部１５０に外光を受光させる方法を示す。図７に示す様に、第１の変形例に係る保持部１７０は、表示部カバー１２７に対してスライド可能に取り付けられる。このため、保持部１７０は、表示部１３０に対して受光部１５０をスライドさせることができる。これにより、保持部１７０は、図８に示す様に、受光部１５０を表示ユニット１２０の裏面方向に露出させることができ、標準光源を受光可能とすることができる。
【００３２】
図９及び図１０は、本発明の実施形態の第２の変形例に係る、表示ユニット１２０の構造及び受光部１５０に外光を受光させる方法を示す。図９に示す様に、第２の変形例に係る保持部１７０は、受光部１５０を表示部１３０に対して回転移動可能に保持する回転軸６００を有し、受光部１５０を表示部１３０に対して移動可能に取り付けられる。これにより、保持部１７０は、図１０に示す様に、受光部１５０を表示ユニット１２０の裏面方向に露出させることができ、標準光源を受光可能とすることができる。
【００３３】
図１１は、本発明の実施形態の第３の変形例に係る表示ユニット１２０の構造を示す。第３の変形例に係る表示ユニット１２０は、表示パネル１２５が調整用画像表示部１４０を有さない形態を採る。また、受光部１５０は、図１１に示す様に、表示部１３０が画像を表示する領域の縁部を覆う表示部カバー１２７に対して、表示部１３０が表示する画像を受光できる状態に取り付けられる。そして、受光部１５０は、使用者に対する情報を提示する場合、及び情報処理装置１００の色調を調整する場合の両方において、表示部カバー１２７の同じ位置に取り付けられる。
【００３４】
図１２は、本発明の実施形態の第３の変形例に係る情報処理装置１００の構成を示す。図１２における情報処理ユニット１１０の各部、調整部３４０、色調分析部３６０、基準色調データ３７０、及び補正値算出部３８０は、図５の対応する部材と同様であるため説明を省略する。
【００３５】
調整用画像設定部３５０は、色調調整処理を色調調整処理を行わない場合（通常使用時）と、色調調整処理を行う場合において、それぞれ次に示す処理を行う。
色調調整処理を行わない場合、調整用画像設定部３５０は、調整部３４０から受信した情報画像の画像データに基づき情報画像を表示部１３０に表示させる。
一方、色調調整処理を行う場合、調整用画像設定部３５０は、調整用画像表示部１４０の色調分析を行うために受光部１５０に受光させる調整用画像を、表示部１３０に表示させる。このように、表示部１３０は、情報処理装置１００が表示する画像の色調を調整する場合において、表示部１３０が表示する情報画像の調整を行うために用いる、情報画像とは異なる調整用画像を表示する。
受光部１５０は、色調調整処理を行う場合、表示部１３０が表示する調整用画像を受光する。色調分析部３６０及び補正値算出部３８０は、図５に示した色調分析部３６０及び補正値算出部３８０と同様に、色調の補正値を算出し、プロファイル３４２に格納する。これにより、調整部３４０は、受光部１５０が受光した調整用画像の色調に基づき、表示部１３０が表示する画像の色調を調整することができる。
【００３６】
図１３は、本発明の実施形態に第３の変形例に係る表示部１３０の色調調整処理フローを示す。まず、情報処理装置１００の使用者は、基準光源を受光部１５０に受光させる。色調分析部３６０は、基準光源の受光結果を受光部１５０から取得し、基準色調データ３７０に格納する（Ｓ８００）。ここで、Ｓ８００の処理は、Ｓ８１０以降の処理とは独立に行ってよい。
次に、調整用画像設定部３５０は、情報処理装置１００の使用者が色調調整処理の実行を指示したかどうかを判断する（Ｓ８０２）。色調調整処理の実行が指示されていない場合、調整用画像設定部３５０は、表示部１３０に情報画像を表示させ（Ｓ８０４）、処理をＳ８０２に進める。次に、調整用画像設定部３５０は、表示部１３０に黒画像を表示させる（Ｓ８０６）。色調分析部３６０は、表示部１３０に黒画像を表示した場合の光量を受光部１５０から受信することにより、周囲の光量を取得する（Ｓ８０８）。次に、調整用画像設定部３５０は、色調分析を行うために受光部１５０に受光させる画像を設定し（Ｓ８１０）、表示部１３０に表示させる（Ｓ８２０）。次に、受光部１５０は、表示部１３０が表示する調整用画像を受光する（Ｓ８３０）。次に、色調分析部３６０は、調整用画像設定部３５０から調整用画像の画素データを受信すると共に、受光部１５０から調整用画像の色調の受光結果を受信する。調整用画像設定部３５０、表示部１３０、受光部１５０、及び色調分析部３６０は、Ｓ８１０乃至Ｓ８３０の処理を、色調分析に必要となる全てのカラーパターンを取得し終えるまで繰り返す（Ｓ８４０）。
【００３７】
次に、色調分析部３６０は、Ｓ８３０において受光部１５０から受信した各調整用画像の色調から、それぞれＳ８０８で受光した周囲の光量の成分を除去する（Ｓ８４５）。具体的には、色調分析部３６０は、例えば受光部１５０から受信した調整用画像の光量の値から、Ｓ８０８で受光した周囲の光量の値を減じることにより、周囲の光量の成分を除去する。次に、色調分析部３６０は、調整用画像設定部３５０から受信した調整用画像の画素データ、受光部１５０から受信した調整用画像の色調の受光結果、及び基準色調データ３７０の組合せに基づき、表示パネル１２５の色調を分析する（Ｓ８５０）。次に、補正値算出部３８０は、色調分析部３６０による色調を分析した結果に基づき、表示パネル１２５の色調の補正値を算出する（Ｓ８６０）。そして、補正値算出部３８０は、算出した色調の補正値をプロファイル３４２に設定し、処理をＳ８０２に進める（Ｓ８７０）。
【００３８】
以上に示した通り、本実施形態の第３の変形例に係る情報処理装置１００は、使用者に対して情報画像を表示する場合、及び表示ユニット１２０の色調を調整する場合の両方において、受光部１５０は表示部カバー１２７の同じ位置に取り付けられる。このため、情報処理装置１００の使用者は、受光用の治具を取り付けたり、受光部１５０を移動させたりすることなく、色調調整処理を行うことができる。また、第３の変形例に係る受光部１５０は、情報処理装置１００の外部に露出しているため、標準光源と表示部１３０に表示する調整用画像の両方を受光することができる。このため、情報処理装置１００の使用者は、受光用の治具を取り付けたり、受光部１５０を移動させたりすることなく、色調調整処理を行うことができる。
また、第３の変形例に係る色調分析部３６０は、Ｓ８４５において、受光部１５０から受信した調整用画像の色調から、Ｓ８０８で受光した周囲の光量の成分を除去する。これにより、情報処理装置１００は、周囲の光量の影響を除去した補正値を用いて、画像の色調を調整することができる。
【００３９】
以上、本発明を実施形態を用いて説明したが、本発明の技術的範囲は上記実施形態に記載の範囲には限定されない。上記実施形態に、多様な変更または改良を加えることができる。そのような変更または改良を加えた形態も本発明の技術的範囲に含まれ得ることが、特許請求の範囲の記載から明らかである。
【００４０】
例えば、表示ユニット１２０は、接続ケーブルを用いて情報処理ユニット１１０と接続されてもよい。この場合、本実施形態に係る表示ユニット１２０は、単体で本発明に係る表示装置に相当する。
【００４１】
また、調整用画像設定部３５０は、調整部３４０から受信した情報画像の各画素に設定される色調のデータ値を平均して調整用画像を設定するのに代えて、例えば表示部１３０の特定の表示領域の各画素に設定される色調のデータ値を用いて調整用画像を設定してもよい。
【００４２】
以上に説明した実施形態によれば、以下の各項目に示す表示装置及び調整方法が実現される。
【００４３】
（項目１）  画像を表示する表示装置であって、使用者に情報を提示する情報画像を含む画像を表示する表示部と、前記表示部が画像を表示する領域の縁部を覆う表示部カバーと、前記使用者に対する情報を提示する場合、及び前記表示装置の色調を調整する場合の両方において、前記表示部カバーの同じ位置に取り付けられ、前記表示部が表示する画像を受光する受光部と、前記受光部が受光した画像の色調に基づき、前記表示部が表示する画像の色調を調整する調整部とを備えることを特徴とする表示装置。
（項目２）  前記表示装置の色調を調整する場合において、前記表示部は、前記表示部が表示する画像の調整を行うために用いる、前記情報画像とは異なる調整用画像を表示し、前記受光部は、前記調整用画像を受光し、前記調整部は、前記受光部が受光した前記調整用画像の色調に基づき、前記表示部が表示する画像の色調を調整することを特徴とする項目１記載の表示装置。
【００４４】
（項目３）  画像を表示する表示装置であって、使用者に情報を提示する情報画像を表示する表示部と、前記表示部が表示する情報画像の色調の調整を行うために用いる調整用画像を表示する調整用画像表示部と、前記調整用画像表示部が表示する前記調整用画像を受光する受光部とを備えることを特徴とする表示装置。
（項目４）  前記調整用画像を、前記使用者に対して隠蔽する調整用画像隠蔽部を更に備えることを特徴とする項目３記載の表示装置。
（項目５）  前記受光部は、前記調整用画像隠蔽部の前記調整用画像表示部側に設けられることを特徴とする項目４記載の表示装置。
（項目６）  前記調整用画像隠蔽部は、前記表示部における画像を表示する部分の縁部を覆う表示部カバーの少なくとも一部であることを特徴とする項目４記載の表示装置。
【００４５】
（項目７）  前記受光部による前記調整用画像の受光結果に基づき、前記表示部が表示する前記情報画像の色調を調整する調整部を更に備えることを特徴とする項目３記載の表示装置。
（項目８）  前記表示部が表示する前記情報画像の色調を調整する基準となる外光を受光させるべく、前記受光部を、前記表示装置の外部に対して露出可能に保持する保持部を更に備えることを特徴とする項目３記載の表示装置。
（項目９）  前記保持部は、前記表示部に対する前記受光部の向きを変えることにより、前記受光部を前記表示装置の外部に対して露出可能に保持することを特徴とする項目８記載の表示装置。
（項目１０）  前記保持部は、前記表示部に対して前記受光部をスライドさせることにより、前記受光部を前記表示装置の外部に対して露出可能に保持することを特徴とする項目８記載の表示装置。
（項目１１）  前記保持部は、前記受光部を前記表示部に対して回転移動可能に保持する保持軸を有し、前記受光部を前記表示部に対して回転移動させることにより、前記受光部を前記表示装置の外部に対して露出可能に保持することを特徴とする項目８記載の表示装置。
【００４６】
（項目１２）  前記表示部が表示する前記情報画像の画像データに基づき、前記調整用画像を設定する調整用画像設定部を更に備えることを特徴とする項目３記載の表示装置。
（項目１３）  前記調整用画像設定部は、前記表示部が表示する前記情報画像の各画素に設定される色調のデータ値を平均し、前記調整用画像を設定することを特徴とする項目１２記載の表示装置。
（項目１４）  前記表示部と前記調整用画像表示部は、同一の表示パネル上の互いに異なる表示領域にそれぞれ画像を表示することを特徴とする項目３記載の表示装置。
（項目１５）  前記調整用画像表示部は、前記表示パネルが画像を表示する表示領域の縁部の少なくとも一部を含む表示領域に画像を表示することを特徴とする項目１４記載の表示装置。
【００４７】
（項目１６）  画像を表示する表示装置の色調を調整する調整方法であって、前記表示装置は、使用者に情報を提示する情報画像を含む画像を表示する表示部と、前記表示部が画像を表示する領域の縁部を覆う表示部カバーと、前記表示部が表示する画像を受光する受光部とを備え、前記使用者に対する情報を提示する場合、及び前記表示装置の色調を調整する場合の両方において、前記受光部を、前記表示部カバーの同じ位置に取り付け、前記受光部が受光した画像の色調に基づき、前記表示部が表示する画像の色調を調整することを備えることを特徴とする調整方法。
（項目１７）  画像を表示する表示装置の色調を調整する調整方法であって、前記表示装置は、使用者に情報を提示する情報画像を表示する表示部と、前記表示部が表示する情報画像の色調の調整を行うために用いる調整用画像を表示する調整用画像表示部とを備え、前記調整用画像表示部が表示する前記調整用画像を受光し、前記調整用画像の受光結果に基づき、前記表示部が表示する前記情報画像の色調を調整することを特徴とする調整方法。
【００４８】
【発明の効果】
上記説明から明らかなように、本発明によれば使用者が簡単に色調の調整を行うことができる表示装置を提供することができる。
【図面の簡単な説明】
【図１】  本発明の実施形態に係る情報処理装置１００の外観を示す図。
【図２】  本発明の実施形態に係る表示ユニット１２０の構造を正面から見た図。
【図３】  本発明の実施形態に係る表示ユニット１２０の構造の断面図。
【図４】  本発明の実施形態に係る受光部１５０に外光を受光させる方法を示す図。
【図５】  本発明の実施形態に係る情報処理装置１００の構成を示す図。
【図６】  本発明の実施形態に係る表示部１３０の色調調整処理フローを示す図。
【図７】  本発明の実施形態の第１の変形例に係る表示ユニット１２０の構造を正面から見た図。
【図８】  本発明の実施形態の第１の変形例に係る受光部１５０に外光を受光させる方法を示す図。
【図９】  本発明の実施形態の第２の変形例に係る表示ユニット１２０の構造を正面から見た図。
【図１０】  本発明の実施形態の第２の変形例に係る受光部１５０に外光を受光させる方法を示す図。
【図１１】  本発明の実施形態の第３の変形例に係る表示ユニット１２０の構造を示す図。
【図１２】  本発明の実施形態の第３の変形例に係る情報処理装置１００の構成を示す図。
【図１３】  本発明の実施形態に第３の変形例に係る表示部１３０の色調調整処理フローを示す図。
【符号の説明】
１００  情報処理装置
１１０  情報処理ユニット
１２０  表示ユニット
１２５  表示パネル
１２７  表示部カバー
１３０  表示部
１４０  調整用画像表示部
１５０  受光部
１６０  調整用画像隠蔽部
１７０  保持部
１７５  保持軸
３００  ＣＰＵ
３０５  メモリ
３１０  入力装置
３１５  表示インターフェイス
３２０  ハードディスクドライブ
３２２  通信インターフェイス
３２５  フロッピーディスクドライブ
３３０  ＣＤ−ＲＯＭドライブ
３３５  メモリ制御部
３４０  調整部
３４２  プロファイル
３５０  調整用画像設定部
３５５  色調履歴格納部
３６０  色調分析部
３７０  基準色調データ
３８０  補正値算出部
３９０  フロッピーディスクドライブ
３９５  ＣＤ−ＲＯＭドライブ
６００  回転軸
【図１】
0003815553.tif 000002
【図２】
0003815553.tif 000003
【図３】
0003815553.tif 000004
【図４】
0003815553.tif 000005
【図５】
0003815553.tif 000006
【図６】
0003815553.tif 000007
【図７】
0003815553.tif 000008
【図８】
0003815553.tif 000009
【図９】
0003815553.tif 000010
【図１０】
0003815553.tif 000011
【図１１】
0003815553.tif 000012
【図１２】
0003815553.tif 000013
【図１３】
0003815553.tif 000014